(57)【要約】  太陽光発電装置が開示される。太陽光発電装置は、基板と、前記基板上に配置される第１セルグループと、前記基板上に配置される第２セルグループと、前記第１セルグループと並列に連結される第１ダイオードと、前記第２セルグループと並列に連結される第２ダイオードと、を含む。【選択図】図１
2013506988.tif 000002
【特許請求の範囲】
【請求項１】
基板と、
前記基板上に配置される第１セルグループと、
前記基板上に配置される第２セルグループと、
前記第１セルグループと並列に連結される第１ダイオードと、
前記第２セルグループと並列に連結される第２ダイオードと、を含む太陽光発電装置。
【請求項２】
前記第１セルグループ及び前記第２セルグループを連結させる連結電極を含み、
前記第１ダイオード及び前記第２ダイオードは、前記連結電極に連結される請求項１に記載の太陽光発電装置。
【請求項３】
前記第１セルグループは互いに直列に連結される多数個の第１セルを含み、
前記第２セルグループは互いに直列に連結される多数個の第２セルを含み、
前記第１セルグループ及び前記第２セルグループは、互いに直列に連結される請求項１に記載の太陽光発電装置。
【請求項４】
前記基板上に配置される第３セルグループと、
前記第３セルグループと並列に連結される第３ダイオードと、を含む請求項１に記載の太陽光発電装置。
【請求項５】
前記第１ダイオード、前記第２ダイオード及び前記第３ダイオードを収容するジャンクションボックスを含む請求項４に記載の太陽光発電装置。
【請求項６】
前記第１セルグループは、第１列の第１セル及び第２列の第２セルを含み、
第１連結電極を介して前記第１セル及び前記第２セルが連結される請求項１に記載の太陽光発電装置。
【請求項７】
前記第１セルを介して電流は第１方向に流れ、
前記第２セルを介して前記電流は前記第１方向に対して反対方向である第２方向に流れる請求項６に記載の太陽光発電装置。
【請求項８】
前記第１セルグループは、第３列の第３セル及び第４列の第４セルを含み、
第２連結電極を介して前記第２セル及び前記第３セルが連結され、
前記第１ダイオード及び前記第２ダイオードは、前記第２連結電極に電気的に接続される請求項６に記載の太陽光発電装置。
【請求項９】
基板と、
前記基板上に配置される第１セルグループと、
前記基板上に配置される第２セルグループと、
前記第１セルグループ及び前記第２セルグループのうち少なくとも一つのエラーを感知するエラー検出部と、を含む太陽光発電装置。
【請求項１０】
前記第１セルグループと並列に連結される第１ダイオードを含み、
前記エラー検出部は、前記第１ダイオードの両端の電圧と基準電圧を比較する比較器を含む請求項９に記載の太陽光発電装置。
【請求項１１】
前記第２セルグループと並列に連結される第２ダイオードを含み、
前記比較器は、前記第２ダイオードの両端の電圧と前記基準電圧を比較する請求項１０に記載の太陽光発電装置。
【請求項１２】
前記エラー検出部から発生された信号を外部に転送する信号出力部を含む請求項９に記載の太陽光発電装置。
【請求項１３】
前記信号出力部は、ＲＦ（Ｒａｄｉｏ  Ｆｒｅｑｕｅｎｃｙ）回路を含む請求項１２に記載の太陽光発電装置。
【請求項１４】
前記第１セルグループに連結されるバスバと、
前記バスバと連結される出力端と、
前記出力端に流れる電流によって誘導される電力を前記エラー検出部に供給する電源部と、を含む請求項９に記載の太陽光発電装置。
【請求項１５】
基板と、
前記基板上に配置される第１セルグループと、
前記基板上に配置される第２セルグループと、
前記基板に付着されるジャンクションボックスと、
前記第１セルグループに連結され、前記ジャンクションボックスに延長される第１バスバと、
前記第１セルグループ及び前記第２セルグループに連結され、前記ジャンクションボックスに延長される連結電極と、
前記第２セルグループに連結され、前記ジャンクションボックスに延長される第２バスバと、を含む太陽光発電装置。
【請求項１６】
前記第１バスバ及び前記連結電極に連結される第１ダイオードと、
前記連結電極及び前記第２バスバに連結される第２ダイオードと、を含む請求項１５に記載の太陽光発電装置。
【請求項１７】
前記第１ダイオードの両端の電圧を基準電圧と比較し、前記第１セルグループのエラーを検出するエラー検出部を含む請求項１６に記載の太陽光発電装置。
【請求項１８】
前記エラー検出部は、前記第２ダイオードの両端の電圧及び前記基準電圧を比較して前記第２セルグループのエラーを検出する請求項１７に記載の太陽光発電装置。
【請求項１９】
前記第１ダイオード、前記第２ダイオード及び前記エラー検出部は、前記ジャンクションボックス内に配置される請求項１８に記載の太陽光発電装置。
【発明の詳細な説明】
【技術分野】
【０００１】
実施例は、太陽光発電装置に関するものである。
【背景技術】
【０００２】
太陽電池は、Ｐ−Ｎ接合セルを利用して光起電力を発生させた後、このセルを容量に合わせてモジュールの形で連結し、一定容量のモジュールを回路で直列、又は並列で連結してアレイを構成する。
【０００３】
太陽光発電システムは、初期投資費用が確立されると後から維持費が殆どかからなく、駆動部がなくて故障が少ないため、安定的にエネルギを供給できるという長所がある。
【０００４】
一般的に、太陽電池モジュールで生産された電気をシステムに連結させるためには、各太陽電池セルの最小直列群をバスバによってジャンクションボックスと電気的に接続させている。
【０００５】
しかし、太陽電池パネルに外部の物体によって影ができるか、太陽電池パネル上に不純物のような異物質が発生すると、陰ができるか異物質が発生したセルは負荷が大きくなって加熱されるという問題が発生する。
【発明の概要】
【発明が解決しようとする課題】
【０００６】
実施例は、向上された発電効率を有する太陽光発電装置を提供する。
【課題を解決するための手段】
【０００７】
一実施例による太陽光発電装置は、基板と、前記基板上に配置される第１セルグループと、前記基板上に配置される第２セルグループと、前記第１セルグループと並列に連結される第１ダイオードと、前記第２セルグループと並列に連結される第２ダイオードと、を含む。
【０００８】
一実施例による太陽光発電装置は、基板と、前記基板上に配置される第１セルグループと、前記基板上に配置される第２セルグループと、前記第１セルグループ及び前記第２セルグループのうち少なくとも一つのエラーを感知するエラー検出部と、を含む。
【０００９】
一実施例による太陽光発電装置は、基板と、前記基板上に配置される第１セルグループと、前記基板上に配置される第２セルグループと、前記基板に付着されるジャンクションボックスと、前記第１セルグループに連結され、前記ジャンクションボックスに延長される第１バスバと、前記第１セルグループ及び前記第２セルグループに連結され、前記ジャンクションボックスに延長される連結電極と、前記第２セルグループに連結され、前記ジャンクションボックスに延長される第２バスバと、を含む。
【発明の効果】
【００１０】
実施例による太陽光発電装置は、基板上に多数個のセルグループを配置させる。また、実施例による太陽光発電装置は、それぞれのセルグループにバスバ及び連結電極をそれぞれ連結させ、それぞれのセルグループを別に駆動させてもよい。
【００１１】
即ち、実施例による太陽光発電装置は、それぞれのセルグループにダイオードを並列で連結させ、それぞれのセルグループを独立的に発電させてもよい。即ち、第１セルグループが影などによって発電が不可能である際、第２セルグループによって形成された電流は第１ダイオードを介して流れてもよい。即ち、不能である第１セルグループは第２セルグループに影響を及ぼさなくなる。
【００１２】
また、実施例による太陽光発電装置は、セルグループのエラーを検出するエラー検出部を含んでもよい。特に、実施例による太陽光発電装置は、それぞれのセルグループ別にエラーを検出することができる。
【００１３】
このように、実施例による太陽光発電装置はそれぞれのセルグループ別に駆動され、それぞれのセルグループのエラーを容易に検出することができる。従って、実施例による太陽光発電装置は、一部のセルグループに問題が発生しても全体的に不能状態にならず、残りの一部のセルグループは稼動される。また、実施例による太陽光発電装置はエラーが検出されたセルグループを容易に識別し、迅速に発生した問題を解決することができる。
【００１４】
従って、実施例による太陽光発電装置は光−電変換効率の低下を防止し、向上された光−電変換効率を有することができる。
【００１５】
また、実施例による太陽光発電装置は、エラー検出部に自体的に電源を供給するための電源部を含んでもよい。また、実施例による太陽光発電装置は、信号出力部を介して検出された信号を容易に外部に転送することができる。
【図面の簡単な説明】
【００１６】
【図１】第１実施例による太陽電池モジュールを示す平面図である。
【図２】図１の０−０’に沿って切断した断面を示す断面図である。
【図３】図１のＩ−Ｉ’に沿って切断した断面を示す断面図である。
【図４】第２セルグループが動作しない際、電流が流れる過程を示す図である。
【図５】第１実施例による太陽電池モジュールの後面を示す図である。
【図６】第１実施例による太陽電池モジュールを製造する過程を示す図である。
【図７】第１実施例による太陽電池モジュールを製造する過程を示す図である。
【図８】第１実施例による太陽電池モジュールを製造する過程を示す図である。
【図９】第１実施例による太陽電池モジュールを製造する過程を示す図である。
【図１０】第１実施例による太陽電池モジュールを製造する過程を示す図である。
【図１１】第１実施例による太陽電池モジュールを製造する過程を示す図である。
【図１２】第１実施例による太陽電池モジュールを製造する過程を示す図である。
【図１３】第１実施例による太陽電池モジュールを製造する過程を示す図である。
【図１４】第１実施例による太陽電池モジュールを製造する過程を示す図である。
【図１５】第１実施例による太陽電池モジュールを製造する過程を示す図である。
【図１６】第１実施例による太陽電池モジュールを製造する過程を示す図である。
【図１７】第１実施例による太陽電池モジュールを製造する過程を示す図である。
【図１８】第１実施例による太陽電池モジュールを製造する過程を示す図である。
【図１９】第２実施例による薄膜型太陽電池モジュールの前面を示す平面図である。
【図２０】第２実施例によるバルク型太陽電池モジュールの前面を示す平面図である。
【図２１】基板の後面に配置されたジャンクションボックスを示す平面図である。
【図２２】ジャンクションボックスの内部構造を示す平面図である。
【図２３】比較器を簡単に示す図である。
【図２４】表示手段を示す図である。
【図２５】表示手段を示す図である。
【発明を実施するための形態】
【００１７】
実施例の説明に当たって、各基板、層、膜又は電極などが各基板、層、膜、又は電極などの「上（ｏｎ）」に、又は「下（ｕｎｄｅｒ）」に形成されるものとして記載される場合において、「上（ｏｎ）」と「下（ｕｎｄｅｒ）」は、「直接（ｄｉｒｅｃｔｌｙ）」又は「他の構成要素を介在して（ｉｎｄｉｒｅｃｔｌｙ）」形成されるものを全て含む。また、各構成要素の上又は下に対する基準は、図面を基準に説明する。図面における各構成要素の大きさは説明のために誇張されてもよく、実際に適用される大きさを意味するものではない。
【００１８】
図１は、第１実施例による太陽電池モジュールを示す平面図である。図２は、図１の０−０’に沿って切断した断面を示す断面図である。図３は、図１のＩ−Ｉ’に沿って切断した断面を示す断面図である。図４は、第２セルグループが動作しない際、電流が流れる過程を示す図である。図５は、第１実施例による太陽電池モジュールの後面を示す図である。
【００１９】
図１乃至図５を参照すると、第１実施例による太陽電池モジュールは、基板１００、多数個のセルグループ（ＣＵ１，ＣＵ２，ＣＵ３）、多数個の連結電極（８１０、７１０、７２０、７３０、７４０、７５０、８２０）、多数個のダイオード（Ｄ１，Ｄ２，Ｄ３）及びジャンクションボックス８００を含む。
【００２０】
前記基板１００は、前記セルグループ（ＣＵ１，ＣＵ２，ＣＵ３）、前記連結電極（８１０、７１０、７２０、７３０、７４０、７５０、８２０）、前記ダイオード（Ｄ１，Ｄ２，Ｄ３）及び前記ジャンクションボックス８００を支持する。前記基板１００はプレート状であってもよい。前記基板１００は絶縁体であってもよい。前記基板１００は、ガラス基板、プラスティック基板又はステンレススチール基板であってもよい。更に詳しくは、前記基板１００はソーダライムガラス（ｓｏｄａ  ｌｉｍｅ  ｇｌａｓｓ）基板であってもよい。
【００２１】
前記セルグループ（ＣＵ１，ＣＵ２，ＣＵ３）は前記基板１００上に配置される。前記セルグループ（ＣＵ１，ＣＵ２，ＣＵ３）は互いに直列に連結されてもよい。また、それぞれのセルグループ（ＣＵ１，ＣＵ２，ＣＵ３）は、互いに直列に連結される多数個のセルを含んでもよい。例えば、前記セルグループは、第１セルグループＣＵ１、第２セルグループＣ２及び第３セルグループＣＵ３であってもよい。
【００２２】
前記第１セルグループＣＵ１は第１セルＡ１１及び第２セルＡ２２を含む。
【００２３】
前記第１セルＡ１１の個数はＮ個であってもよい。前記第１セルＡ１１は互いに直列に連結される。また、前記第１セルＡ１１は第１列に配置されてもよい。前記第１セルＡ１１で生成される電流は、第１方向に流れてもよい。
【００２４】
前記第２セルＡ２２の個数はＮ個であってもよい。前記第２セルＡ２２は互いに直列に連結される。また、前記第２セルＡ２２は第２列に配置されてもよい。この際、前記第２セルＡ２２で生成される電流は、前記第１方向に対して反対方向である第２方向に流れてもよい。
【００２５】
また、前記第１セルＡ１１は前記第２セルＡ２２に直列に連結されてもよい。即ち、前記第１セルＡ１１及び前記第２セルＡ２２は互いに直列に連結される。
【００２６】
前記第２セルグループＣＵ２は第３セルＡ３３及び第４セルＡ４４を含む。
【００２７】
前記第３セルＡ３３の個数はＮ個であってもよい。前記第３セルＡ３３は互いに直列に連結される。また、前記第３セルＡ３３は第３列に配置されてもよい。前記第３セルＡ３３で生成される電流は、第１方向に流れてもよい。
【００２８】
前記第４セルＡ４４の個数はＮ個であってもよい。前記第４セルＡ４４は互いに直列に連結される。また、前記第４セルＡ４４は第４列に配置されてもよい。この際、前記第４セルＡ４４で生成される電流は、前記第１方向に対して反対方向である第２方向に流れてもよい。
【００２９】
また、前記第３セルＡ３３は前記第４セルＡ４４に直列に連結されてもよい。即ち、前記第３セルＡ３３及び前記第４セルＡ４４は互いに直列に連結される。
【００３０】
前記第３セルグループＣＵ３は第５セルＡ５５及び第６セルＡ６６を含む。
【００３１】
前記第５セルＡ５５の個数はＮ個であってもよい。前記第５セルＡ５５は互いに直列に連結される。また、前記第５セルＡ５５は第５列に配置されてもよい。前記第５セルＡ５５で生成される電流は、第１方向に流れてもよい。
【００３２】
前記第６セルＡ６６の個数はＮ個であってもよい。前記第６セルＡ６６は互いに直列に連結される。また、前記第６セルＡ６６は第６列に配置されてもよい。この際、前記第６セルＡ６６で生成される電流は、前記第１方向に対して反対方向である第２方向に流れてもよい。
【００３３】
また、前記第５セルＡ５５は前記第６セルＡ６６に直列に連結されてもよい。即ち、前記第５セルＡ５５及び前記第６セルＡ６６は互いに直列に連結される。
【００３４】
前記連結電極（８１０，７１０，７２０，７３０，７４０，７５０，８２０）は導電体である。前記連結電極（８１０，７１０，７２０，７３０，７４０，７５０，８２０）として使用される物質の例としては、抵抗の低い銅又は銀などの金属が挙げられる。
【００３５】
前記連結電極（８１０，７１０，７２０，７３０，７４０，７５０，８２０）は前記セルグループ（ＣＵ１，ＣＵ２，ＣＵ３）を連結させる。また、前記連結電極（８１０，７１０，７２０，７３０，７４０，７５０，８２０）それぞれの列のセル（Ａ１１…Ａ６６）を連結させ得る。また、前記連結電極（８１０，７１０，７２０，７３０，７４０，７５０，８２０）は、前記セルグループ（ＣＵ１，ＣＵ２，ＣＵ３）を外部の充電装置又は隣接する太陽電池モジュールに連結される配線と連結されてもよい。
【００３６】
前記連結電極は、第１バスバ８１０、第１連結電極７１０、第２連結電極７２０、第３連結電極７３０、第４連結電極７４０、第５連結電極７５０及び第２バスバ８２０であってもよい。
【００３７】
前記第１バスバ８１０は前記第１セルＡ１１に連結される。更に詳しくは、前記第１バスバ８１０は、前記第１セルＡ１１のうち最後のセル１０１に直接接続されてもよい。前記第１バスバ８１０は、外部の装置に連結される配線に連結されてもよい。
【００３８】
前記第１バスバ８１０は、前記第１セルＡ１１のうち最後のセル１０１から前記ジャンクションボックス８００に延長される。即ち、前記第１バスバ８１０は、前記基板１００の上面から前記基板１００の後面に延長される。
【００３９】
前記第１連結電極７１０は前記第１セルＡ１１及び前記第２セルＡ２２を連結させる。更に詳しくは、前記第１連結電極７１０は、前記第１セルＡ１１のうち最初のセル１０２及び前記第２セルＡ２２のうち最初のセル１０３を連結させる。
【００４０】
また、図２及び図３に示したように、前記第１セルＡ１１の構造は前記第２セルＡ２２の構造に対称とされてもよい。即ち、前記第１連結電極７１０は、前記第１セルＡ１１のうち最初のセル１０２の前面電極と連結され、前記第２セルＡ２２のうち最初のセル１０３の後面電極と連結される。即ち、前記第１連結電極７１０は、前記第１セルＡ１１のうち最初のセル１０２と前記第２セルＡ２２のうち最初のセル１０３の互いに異なる電極を連結させる。
【００４１】
同じく、前記第１バスバ８１０は、前記第１セルＡ１１のうち最後のセル１０１の後面電極と連結され、前記第２連結電極７２０は前記第２セルＡ２２のうち最後のセル１０４の前面電極と連結されてもよい。
【００４２】
前記第２連結電極７２０は前記第１セルグループＣＵ１及び前記第２セルグループＣＵ２を連結させる。更に詳しくは、前記第２連結電極７２０は前記第２セルＡ２２及び前記第３セルＡ３３を連結させる。更に詳しくは、前記第２連結電極７２０は、前記第２セルＡ２２のうち最後のセル１０４及び前記第３セルＡ３３のうち最後のセルに接続される。
【００４３】
前記第２連結電極７２０は、前記基板１００の上面から前記基板１００の下面に延長される。即ち、前記第２連結電極７２０は、前記第２セルＡ２２及び前記第３セルＡ３３から前記ジャンクションボックス８００に延長される。
【００４４】
前記第３連結電極７３０は前記第３セルＡ３３及び前記第４セルＡ４４を連結させる。更に詳しくは、前記第３連結電極７３０は、前記第３セルＡ３３のうち最初のセル及び前記第４セルＡ４４のうち最初のセルを連結させる。即ち、前記第３連結電極７３０は、前記第３セルＡ３３のうち最初のセル及び前記第４セルＡ４４のうち最初のセルに接続される。
【００４５】
前記第４連結電極７４０は前記第２セルグループＣＵ２及び前記第３セルグループＣＵ３を連結させる。更に詳しくは、前記第４連結電極７４０は前記第４セルＡ４４及び前記第５セルＡ５５を連結させる。更に詳しくは、前記第４連結電極７４０は、前記第４セルＡ４４うち最後のセル及び前記第５セルＡ５５のうち最後のセルに接続される。
【００４６】
前記第４連結電極７４０は、前記基板１００の上面から前記基板１００の下面に延長される。即ち、前記第４連結電極７４０は、前記第４セルＡ４４及び前記第５セルＡ５５から前記ジャンクションボックス８００に延長される。
【００４７】
前記第５連結電極７５０は前記第５セルＡ５５及び前記第６セルＡ６６を連結させる。更に詳しくは、前記第５連結電極７５０は、前記第５セルＡ５５のうち最初のセル及び前記第６セルＡ６６のうち最初のセルを連結させる。即ち、前記第５連結電極７５０は、前記第５セルＡ５５のうち最初のセル及び前記第６セルＡ６６のうち最初のセルに接続される。
【００４８】
前記第２バスバ８２０は前記第６セルＡ６６に連結される。更に詳しくは、前記第２バスバ８２０は、前記第６セルＡ６６のうち最後のセルの上面に直接接続されてもよい。前記第２バスバ８２０は外部の装置に連結される配線に連結されてもよい。
【００４９】
前記第２バスバ８２０は、前記第６セルＡ６６のうち最後のセルから前記ジャンクションボックス８００に延長される。即ち、前記第２バスバ８２０は前記基板１００の上面から前記基板１００の後面に延長される。この際、前記第１バスバ８１０は（＋）出力端に連結され、前記第２バスバ８２０は（−）出力端に連結されてもよい。
【００５０】
前記ダイオード（Ｄ１，Ｄ２，Ｄ３）は前記連結電極（８１０，７１０，７２０，７３０，７４０，７５０，８２０）にそれぞれ連結される。前記ダイオード（Ｄ１，Ｄ２，Ｄ３）は前記基板１００の後面に配置される。前記ダイオード（Ｄ１，Ｄ２，Ｄ３）は、ジャンクションボックス８００内に配置される。
【００５１】
前記ダイオード（Ｄ１，Ｄ２，Ｄ３）は、第１ダイオードＤ１、第２ダイオードＤ２及び第３ダイオードＤ３であってもよい。
【００５２】
前記第１ダイオードＤ１は前記第１セルグループＣＵ１と並列に連結される。更に詳しくは、前記第１ダイオードＤ１は前記第１バスバ８１０及び前記第２連結電極７２０に連結される。即ち、前記第１ダイオードＤ１の一端子は前記第１バスバ８１０に連結され、前記第１ダイオードＤ１の他の端子は前記第２連結電極７２０に連結される。
【００５３】
前記第１セルグループＣＵ１が不能である際、前記第２セルグループＣＵ２及び前記第３セルグループＣＵ３で生成される電流は、前記第１ダイオードＤ１を介して迂回してもよい。
【００５４】
前記第２ダイオードＤ２は前記第２セルグループＣＵ２と並列に連結される。更に詳しくは、前記第２ダイオードＤ２は前記第２連結電極７２０及び前記第３連結電極７３０に連結される。即ち、前記第２ダイオードＤ２の一端子は前記第２連結電極７２０に連結され、前記第２ダイオードＤ２の他の端子は前記第３連結電極７３０に連結される。
【００５５】
前記第２セルグループＣＵ２が不能である際、前記第１セルグループＣＵ１及び前記第３セルグループＣＵ３で生成される電流は、前記第２ダイオードＤ２を介して迂回してもよい。
【００５６】
前記第３ダイオードＤ３は前記第３セルグループＣＵ３と並列に連結される。更に詳しくは、前記第３ダイオードＤ３は前記第３連結電極７３０及び前記第２バスバ８２０に連結される。即ち、前記第３ダイオードＤ３の一端子は前記第３連結電極７３０に連結され、前記第３ダイオードＤ３の他の端子は前記第２バスバ８２０に連結される。
【００５７】
前記第３セルグループＣＵ３が不能である際、前記第１セルグループＣＵ１及び前記第２セルグループＣＵ２で生成される電流は、前記第３ダイオードＤ３を介して迂回してもよい。
【００５８】
図５に示したように、前記ジャンクションボックス８００は前記基板１００に付着される。更に詳しくは、前記ジャンクションボックス８００は前記基板１００の後面に付着されてもよい。前記ジャンクションボックス８００は前記ダイオード（Ｄ１，Ｄ２，Ｄ３）を収容する。前記ジャンクションボックス８００は、前記ダイオード（Ｄ１，Ｄ２，Ｄ３）、前記第１バスバ８１０、前記第２連結電極７２０、前記第４連結電極７４０及び／又は前記第２バスバ８２０が接続される回路基板１００を収容してもよい。
【００５９】
実施例による太陽電池モジュールは、一部のセルグループ（ＣＵ１，ＣＵ２、ＣＵ３）が不能であっても全体的に作動され得る。例えば、図５に示したように、前記第３セルＡ３３のうち一部又は全部が影又は異物質によって不能又は不良である場合、前記第２セルグループＣＵ２は発電できなくなる。
【００６０】
この際、前記第１セルグループＣＵ１及び前記第３セルグループＣＵ３によって生成された電流は、前記第２ダイオードＤ２を介して迂回してもよい。即ち、前記第１セルグループＣＵ１及び前記第３セルグループＣＵ３によって生成された電流は、前記第２バスバ８２０、前記第３セルグループＣＵ３、前記第２ダイオードＤ２、前記第１セルグループＣＵ１及び前記第１バスバ８１０を介して流れてもよい。
【００６１】
従って、実施例による太陽電池モジュールは、それぞれのセルグループ（ＣＵ１，ＣＵ２，ＣＵ３）を独立的に駆動させることができ、一部のセルグループの不能による全体的な性能低下を防止することができる。
【００６２】
従って、実施例による太陽電池モジュールは、向上された光−電変換効率を有する。
【００６３】
図６乃至図１８は、第１実施例による太陽電池モジュールを製造する過程を示す図である。図７乃至図１８は、図６の０−０’の断面及びＩ−Ｉ’の断面を示す図である。本製造方法に対する説明においては、上述した太陽電池モジュールを参照する。即ち、上述した太陽電池モジュールに対する説明は、本製造方法に対する説明に本質的に結合され得る。
【００６４】
図６を参照すると、第１領域Ａ１、第２領域Ａ２、第３領域Ａ３、第４領域Ａ４、第５領域Ａ５、第６領域Ａ６を含む基板１００が提供される。
【００６５】
前記基板１００はガラス（ｇｌａｓｓ）が使用されており、アルミナのようなセラミック基板１００、ステンレススチール、チタン基板１００又はポリマ基板１００なども使用されてもよい。
【００６６】
ガラス基板１００としてはソーダライムガラスを使用してもよく、ポリマ基板１００としてはポリイミド（ｐｏｌｙｉｍｉｄｅ）を使用してもよい。
【００６７】
また、前記基板１００はリジッド（ｒｉｇｉｄ）であるかフレキシブル（ｆｌｅｘｉｂｌｅ）であってもよい。
【００６８】
前記第１領域Ａ１、第２領域Ａ２、第３領域Ａ３、第４領域Ａ４、第５領域Ａ５、第６領域Ａ６には、それぞれＮ個のセルが形成されてもよい。
【００６９】
図７乃至図１８は、図６の０−０’の断面及びＩ−Ｉ’の断面を示す図である。前記第１領域Ａ１、 第３領域Ａ３、 第５領域Ａ５は互いに同じ形で形成され、前記第２領域Ａ２、第４領域Ａ４、第６領域Ａ６も互いに同じ形で形成されるため、前記第１領域Ａ１と第２領域Ａ２の断面図のみを提示する。
【００７０】
図７及び図８に示したように、前記基板１００上に後面電極パターン２００を形成する。前記後面電極パターン２００は多数個の後面電極を含む。前記後面電極パターン２００は、前記基板１００上に後面電極膜を形成した後、フォトリソグラフィ（ｐｈｏｔｏ−ｌｉｔｈｏｇｒａｐｈｙ）工程でパターニングされて形成されてもよい。
【００７１】
また、前記基板１００上にマスクを配置させた後、各領域にのみ前記後面電極パターン２００が形成されるようにしてもよい。前記後面電極パターン２００は金属などの導電体で形成されてもよい。
【００７２】
例えば、前記後面電極パターン２００はモリブデン（Ｍｏ）ターゲットを使用し、スパッタリング（ｓｐｕｔｔｅｒｉｎｇ）工程によって形成されてもよい。これは、モリブデンが有する高い電気伝導度、光吸収層とのオーミック（ｏｈｍｉｃ）接合、Ｓｅ雰囲気下での高温安定性のためである。
【００７３】
また、図示していないが、前記後面電極パターン２００は少なくとも一つ以上の層で形成されてもよい。前記後面電極パターン２００が複数個の層で形成される際、前記後面電極パターン２００を成す層は互いに異なる物質で形成されてもよい。
【００７４】
また、前記後面電極パターン２００はストライプ（ｓｔｒｉｐｅ）形態又はマトリックス（ｍａｔｒｉｘ）形態で配置されてもよく、それぞれのセルに対応してもよい。しかし、前記後面電極パターン２００は前記の形態に限らず、多様な形態で形成されてもよい。
【００７５】
次に、図９及び図１０を参照すると、前記後面電極パターン２００上に光吸収層３００、バッファ層４００が形成される。
【００７６】
前記光吸収層３００はＩ−ＩＩＩ−ＶＩ族系化合物を含む。更に詳しくは、前記光吸収層３００は、銅−インジウム−ガリウム−セレナイド系（Ｃｕ（Ｉｎ，Ｇａ）Ｓｅ２，ＣＩＧＳ系）化合物を含む。
【００７７】
これとは異なって、前記光吸収層３００は、銅−インジウム−セレナイド系（ＣｕＩｎＳｅ２，ＣＩＳ系）化合物又は 銅−ガリウム−セレナイド系（ＣｕＧａＳｅ２，ＣＧＳ系）化合物を含んでもよい。
【００７８】
例えば、前記光吸収層３００を形成するために銅ターゲット、インジウムターゲット及びガリウムターゲットを使用し、前記後面電極パターン２００上にＣＩＧ系金属プリカーサ（Ｐｒｅｃｕｒｓｏｒ）膜が形成される。次に、前記金属プリカーサ膜はセレニゼーション（ｓｅｌｅｎｉｚａｔｉｏｎ）工程によって、セレン（Ｓｅ）と反応してＣＩＧＳ系光吸収層が形成される。
【００７９】
また、前記金属プリカーサ膜を形成する工程及びセレニゼーション工程の間、前記基板１００に含まれたアルカリ（ａｌｋａｌｉ）成分が前記後面電極パターン２００を介して前記金属プリカーサ及び前記光吸収層３００に拡散される。アルカリ成分は前記光吸収層３００のグレイン（ｇｒａｉｎ）の大きさを向上させ、結晶性を向上させることができる。
【００８０】
また、前記光吸収層３００は、銅、インジウム、ガリウム、セレナイド（Ｃｕ，Ｉｎ，Ｇａ，Ｓｅ）を同時蒸着法（ｃｏ−ｅｖａｐｏｒａｔｉｏｎ）によって形成してもよい。
【００８１】
前記光吸収層３００は外部の光が入射され、電気エネルギに変換させる。前記光吸収層３００は、光電効果によって光起電力を生成する。
【００８２】
前記バッファ層４００は少なくとも一つの層で形成され、前記光吸収層３００が形成された前記基板１００上に硫化カドミウム（Ｃｄｓ），ＩＴＯ，ＺｎＯ，ｉ−ＺｎＯのうちいずれか一つ又はこれらの積層で形成されてもよい。
【００８３】
この際、前記バッファ層４００はｎ型半導体層であり、前記光吸収層３００はｐ型半導体層である。従って、前記光吸収層３００及びバッファ層４００はｐｎ接合を形成する。
【００８４】
前記バッファ層４００は、前記光吸収層３００と次に形成される前面電極との間に配置される。即ち、前記光吸収層３００と前面電極層５００は格子常数とエネルギバンドギャップの差が大きいため、バンドギャップが２つの物質の中間に位置する前記バッファ層４００を挿入して良好な接合を形成することができる。
【００８５】
本実施例では一つのバッファ層を前記光吸収層３００上に形成したが、これに限らず、前記バッファ層は複数個の層で形成されてもよい。
【００８６】
次に、図１１及び図１２を参照すると、前記光吸収層３００及びバッファ層４００を貫通するコンタクトパターン３１０が形成される。前記コンタクトパターン３１０は機械的な（ｍｅｃｈａｎｉｃａｌ）方法で形成されてもよく、前記後面電極パターン２００の一部が露出される。
【００８７】
次に、図１３及び図１４を参照すると、前記バッファ層４００上に透明な導電物質を積層し、前面電極５００及び接続配線７００を形成する。
【００８８】
前記透明な導電物質を前記バッファ層４００上に積層させる際、前記透明な導電物質が前記コンタクトパターン３１０の内部にも挿入され、前記接続配線７００を形成してもよい。
【００８９】
前記後面電極パターン２００と前面電極５００は、前記接続配線７００によって電気的に接続される。
【００９０】
前記前面電極５００は、前記基板１００上にスパッタリング工程を進行し、アルミニウムでドッピングされた酸化亜鉛で形成される。
【００９１】
前記前面電極５００は前記光吸収層３００とｐｎ接合を形成するウィンドウ（ｗｉｎｄｏｗ）層であり、太陽電池の前面の透明電極の機能を果たすため、光透過率が高くて電気伝導性のよい酸化亜鉛（ＺｎＯ）で形成される。
【００９２】
この際、前記酸化亜鉛にアルミニウムをドッピングすることで、低い抵抗値を有する電極を形成することができる。
【００９３】
前記前面電極５００である酸化亜鉛薄膜は、ＲＦスパッタリング方法でＺｎＯターゲットを使用して蒸着する方法と、Ｚｎターゲットを利用した反応性スパッタリング、そして有機金属化学蒸着法などで形成されてもよい。
【００９４】
また、電気光学的特性の優れたＩＴＯ（Ｉｎｄｉｕｍ  ｔｉｎ  Ｏｘｉｄｅ）薄膜を酸化亜鉛薄膜上に蒸着した２重構造を形成してもよい。
【００９５】
図１５及び図１６に示したように、前記光吸収層３００、バッファ層４００及び前面電極層５００を貫通する分離パターン３２０が形成される。
【００９６】
前記分離パターン３２０は機械的な方法で形成されてもよく、前記後面電極パターン２００の一部が露出される。
【００９７】
前記バッファ層４００及び前面電極５００は前記分離パターン３２０によって区分されてもよく、前記分離パターン３２０によってそれぞれのセルは互いに分離されてもよい。
【００９８】
前記分離パターン３２０によって、前記前面電極５００、バッファ層４００及び光吸収層３０はストライプ形態又はマトリックス形態で配置されてもよい。前記分離パターン３２０は前記の形態に限らず、多様な形態で形成されてもよい。
【００９９】
前記分離パターン３２０によって前記基板１００上に多数個のセルが形成される。前記セルは、第１セルグループＣＵ１、第２セルグループＣ２及び第３セルグループＣＵ３で区分されてもよい。
【０１００】
図１７及び図１８に示したように、前記後面電極パターン２００と連結されるように第１バスバ８１０、第１連結電極７１０及び第２連結電極７２０が形成される。
【０１０１】
前記第１バスバ８１０、第１連結電極７１０及び第２連結電極７２０は、前記基板１００の先端に形成された前記前面電極５００、バッファ層４００、光吸収層３００の一部を除去し、前記後面電極パターン２００を露出させた後形成させてもよい。
【０１０２】
本実施例では、前記後面電極パターン２００に前記第１バスバ８１０、第１連結電極７１０及び第２連結電極７２０に連結させたが、これに限らず、前記前面電極５００上に前記第１バスバ８１０、第１連結電極７１０及び第２連結電極７２０を形成させてもよい。
【０１０３】
前記第１バスバ８１０、前記第１連結電極７１０、前記第２連結電極７２０、前記第３連結電極７３０、前記第４連結電極７４０、前記第５連結電極７５０及び前記第２バスバ８２０を形成するため、前記露出された後面電極パターン２００上に導電性ペーストがプリントされる。前記プリントされた導電性ペーストは焼結され、第１バスバ８１０、第１連結電極７１０、第２連結電極７２０、第３連結電極７３０、第４連結電極７４０、第５連結電極７５０及び第２バスバ８２０が形成される。
【０１０４】
また、前記第１領域Ａ１に形成された第１セルＡ１１及び前記第２領域Ａ２に形成された第２セルＡ２２は、互いに対称的に形成されてもよい。
【０１０５】
即ち、前記第１セルＡ１１の構造は、前記第１バスバ８１０を（＋）電極に連結し、前記第１連結電極７１０を（−）電極に連結できるように形成されてもよい。また、前記第２セルＡ２２の構造は、前記第１連結電極７１０を（＋）電極に連結し、前記第２連結電極７２０を（−）電極に連結できるように形成されてもよい。
【０１０６】
この際、前記第１領域Ａ１に形成された前記後面電極パターン２００と前記第２領域Ａ２に形成された前記後面電極パターン２００は前記第１連結電極７１０を介して連結されてもよい。従って、前記第１セルＡ１１及び前記第２セルＡ２２は互いに直列に連結され得る。
【０１０７】
次に、前記第１バスバ８１０と第２連結電極７２０の間には第１ダイオードＤ１が配置され、前記第２連結電極７２０と第４連結電極７４０の間には第２ダイオードが配置され、 前記第４連結電極７４０と第２バスバ８２０の間には第３ダイオードが配置される。
【０１０８】
このように、それぞれのセルグループ（ＣＵ１，ＣＵ２，ＣＵ３）が独立的に駆動され、向上された光−電変換効率を有する太陽電池モジュールが提供され得る。
【０１０９】
図１９は、第２実施例による薄膜型太陽電池モジュールの前面を示す平面図である。図２０は、第２実施例によるバルク型太陽電池モジュールの前面を示す平面図である。図２１は、基板の後面に配置されたジャンクションボックスを示す平面図である。図２２は、ジャンクションボックスの内部構造を示す平面図である。図２３は、比較器を簡単に示す図である。図２４及び図２５は、表示手段を示す図である。本実施例の説明に当たって、上述した実施例を参照する。即ち、上述した実施例に対する説明は、変更された部分を除いては、本実施例に対する説明に本質的に結合され得る。
【０１１０】
図１９乃至図２５を参照すると、第２実施例による太陽電池モジュールは、基板１００上に配置される多数個のセルグループ（ＣＵ１，ＣＵ２，ＣＵ３）を含む太陽電池パネル及びジャンクションボックス８００を含む。
【０１１１】
前記基板１００はガラスが使用されており、アルミナのようなセラミック基板１００、ステンレススチール基板、チタン基板又はポリマ基板などが使用されてもよい。
【０１１２】
前記セルグループ（ＣＵ１，ＣＵ２，ＣＵ３）は多数個のセルを含み、前記セルは、銅−インジウム−ガリウム−セレナイド系化合物、銅−インジウム−セレナイド系化合物又は銅−ガリウム−セレナイド系化合物を含んで形成されてもよい。
【０１１３】
第１セルＡ１１には第１バスバ８１０が連結され、前記第６セルには第２バスバ８２０が連結される。前記第１セルＡ１１、第２セルＡ２２、第３セルＡ３３、第４セルＡ４４、第５セルＡ５５及び前記第６セルＡ６６は、前記連結電極（７１０，７２０，７３０，７４０，７５０）によって互いに直列に連結される。
【０１１４】
前記第１ダイオードＤ１、前記第２ダイオードＤ２及び前記第３ダイオードＤ３は、前記セルグループ（ＣＵ１，ＣＵ２，ＣＵ３）のうちいずれか一つが不能である際、電流を迂回させる。例えば、第２セルグループＣＵ２に影が形成されるか不良が発生すると、前記第２セルグループＣＵ２の抵抗が増加される。この際、前記第１セルグループＣＵ１及び第３セルグループＣＵ３によって生成された電流は、前記第２ダイオードＤ２を介して迂回してもよい。
【０１１５】
前記第１ダイオードＤ１、前記第２ダイオードＤ２及び前記第３ダイオードＤ３は、前記基板１００の後面に配置されるジャンクションボックス８００内に配置される。また、前記第１バスバ８１０、前記第２連結電極７２０、前記第４連結電極７４０及び前記第２バスバ８２０は、前記ジャンクションボックス８００に延長される。
【０１１６】
また、実施例による太陽電気モジュールは図１９のような薄膜型太陽電池モジュールに限らず、図２０のようなバルク型太陽電池モジュールで形成されてもよい。
【０１１７】
図２０に示したように、Ｐ型シリコン（Ｓｉ）基板にｎ型層を形成し、ＰＮ接合を形成したバルク型太陽電池１０５が直列に連結され、太陽電池モジュールが形成されてもよい。
【０１１８】
また、バルク型太陽電池モジュールは、連結電極（７１０，７２０，７３０，７４０，７５０）によって太陽電池１０５を互いに連結させてもよい。また、両端の太陽電池にそれぞれ第１バスバ８１０及び第２バスバ８２０が連結されてもよい。
【０１１９】
図２１乃至図２５を参照すると、本実施例による太陽電池モジュールは、前記第１ダイオードＤ１、前記第２ダイオードＤ２、前記第３ダイオードＤ３、第１出力端９１０、第２出力端９２０、電源部９５０、エラー検出部９３０及び信号出力部９４０を含む。
【０１２０】
前記第１ダイオードＤ１、前記第２ダイオードＤ２、前記第３ダイオードＤ３、前記第１出力端９１０、前記第２出力端９２０、前記電源部９５０、前記エラー検出部９３０及び前記信号出力部９４０は、前記ジャンクションボックス８００内に収容されてもよい。
【０１２１】
前記第１出力端９１０は前記第１バスバ８１０に連結される。これとは異なって、前記第１出力端９１０は前記第１バスバ８１０が延長されて形成されてもよい。前記第２出力端９２０は前記第２バスバ８２０に連結される。これとは異なって、前記第２出力端９２０は前記第２バスバ８２０が延長されて形成されてもよい。
【０１２２】
前記第１出力端９１０及び第２出力端９２０は、直流電源を一定の周波数を有する交流電源に変換させるシステムである電力変換システム（ｐｏｗｅｒ  ｃｏｎｖｅｒｓｉｏｎ  ｓｙｓｔｅｍ：ＰＤＳ）と連結されてもよい。
【０１２３】
前記電源部９５０はコイル８５０を含む。前記コイル８５０は前記第２出力端９２０に配置される。前記セルグループ（ＣＵ１，ＣＵ２，ＣＵ３）に含まれたセルによって生成された電流が前記第２出力端９２０に流れる際、磁場が変化し、前記コイル８５０に誘導電流が流れる。このような電磁気誘導現象によって発生した電流を利用して、前記電源部９５０では電力源を発生させることができる。
【０１２４】
また、前記電源部９５０は、前記発生した電量を前記エラー検出部９３０及び前記信号出力部９４０に供給してもよい。特に、前記セルグループ（ＣＵ１，ＣＵ２，ＣＵ３）のうち一部に不能が発生する場合、前記第２出力端９２０を介して流れる電流が変化するようになる。この際、変化する電流によって発生する誘導電流によって、前記電源部９５０は電力を供給し得る。
【０１２５】
前記エラー検出部９３０は前記セルグループ（ＣＵ１，ＣＵ２，ＣＵ３）のエラーを検出する。更に詳しくは、前記エラー検出部９３０は、前記セルグループ（ＣＵ１，ＣＵ２，ＣＵ３）のうち不能であるセルグループを検出することができる。
【０１２６】
前記エラー検出部９３０は比較器９３１を含む。前記エラー検出部９３０は、前記第１ダイオードＤ１の両端、前記第２ダイオードＤ２の両端及び前記第３ダイオードＤ３の両端の電圧が入力される。また、このように入力された電圧と基準電圧を比較し、それぞれのセルグループ（ＣＵ１，ＣＵ２，ＣＵ３）のエラーを検出する。
【０１２７】
即ち、前記エラー検出部９３０に入力された電圧のような信号は比較器９３１を利用した回路に適用され得る。また、前記信号を利用して、どのセルグループに影ができたか又は不良が発生したかを検出することができる。
【０１２８】
前記信号出力部９４０は、前記エラー検出部９３０から発生した信号を入力されて外部に転送する。即ち、前記信号出力部９４０は、前記エラー検出部９３０からの信号を外部の表示手段９６０に出力させる。
【０１２９】
図２３に示したように、前記比較器９３１はＯＰアンプ（ｏｐｅｒａｔｉｏｎａｌ ａｍｐｌｉｆｉｅｒ）を含んでもよい。前記比較器９３１は、基準電圧（ＶＲｅｆ）及び入力電圧（ＶＩｎｐｕｔ）を比較して出力電圧（Ｖｏｕｔ）を表示する。この際、前記基準電圧（ＶＲｅｆ）は前記ダイオードの電圧である０．７Ｖ以上であってもよく、前記入力電圧（ＶＩｎｐｕｔ）は前記ダイオード（Ｄ１，Ｄ２，Ｄ３）各両端の信号になってもよい。
【０１３０】
従って、前記比較器９３１は前記ダイオード（Ｄ１，Ｄ２，Ｄ３）の数によって異なってもよく、本実施例では少なくとも３つ以上の比較器が前記エラー検出部９３０に含まれてもよい。
【０１３１】
前記セルグループ（ＣＵ１，ＣＵ２，ＣＵ３）に影ができていないか不良が発生していない場合には、前記ダイオード（Ｄ１，Ｄ２，Ｄ３）の各両端ではそれぞれのセルグループ（ＣＵ１，ＣＵ２，ＣＵ３）の電圧が測定される。
【０１３２】
しかし、前記太陽電池セルの一部に影ができるか不良が発生すると、前記ダイオード（Ｄ１，Ｄ２，Ｄ３）の各両端の電圧は前記ダイオードの電圧である０．７Ｖが測定され得る。
【０１３３】
従って、前記比較器９３１で前記基準電圧（ＶＲｅｆ）を１Ｖにし、入力電圧（ＶＩｎｐｕｔ）として前記ダイオード（Ｄ１，Ｄ２，Ｄ３）の各両端電圧を適用して、前記基準電圧（ＶＲｅｆ）より小さい信号が発生すると出力電圧（Ｖｏｕｔ）を表示するよう、前記エラー検出部９３０を設計してもよい。
【０１３４】
例えば、前記第２セルグループＣＵ２に影ができるか不良が発生すると、前記第２ダイオードＤ２の両端である前記第２連結電極７２０と第４連結電極７４０の電圧は０．７Ｖで測定される。
【０１３５】
前記第２ダイオードＤ２の両端の電圧である０．７Ｖが前記入力電圧（ＶＩｎｐｕｔ）として入力されると、前記基準電圧（ＶＲｅｆ）である１Ｖより前記入力電圧（ＶＩｎｐｕｔ）が小さいため、前記比較器９３１によって出力電圧（Ｖｏｕｔ）が発生するようになる。このように、前記比較器９３１によって発生した出力電圧（Ｖｏｕｔ）は、前記信号出力部９４０に転送される。
【０１３６】
図２４及び図２５を参照すると、前記信号出力部９４０は前記エラー検出部９３０で発生した信号によって外部の表示手段９６０に出力する。前記表示手段９６０は、ＬＥＤランプのような点滅器９６１又はモニタのような画像手段９６２であってもよい。この際、前記点滅器９６１又は画像手段９６２は、前記信号出力部９４０から連結線８３０によって連結されてもよい。
【０１３７】
また、前記信号出力部９４０はＲＦ（Ｒａｄｉｏ  Ｆｒｅｑｕｅｎｃｙ）モジュール８５０を含んで形成されてもよい。前記ＲＦモジュール８５０が前記信号出力部９４０に含まれると、前記連結線８３０がなくても前記表示手段９６０に信号が伝達され得る。
【０１３８】
上述した実施例による太陽電池モジュール及びそのエラーを検出する方法は、ジャンクションボックスに電源部９５０、エラー検出部９３０及び信号出力部９４０を形成し、本実施例による太陽電池モジュール全体に影や不良が発生したか否かを知ることができる。
【０１３９】
また、本実施例による太陽電池モジュールは、前記エラー検出部９３０によってどのセルグループに影や不良が発生したかを知ることができる。
【０１４０】
また、前記電源部９５０にコイルを配置し、追加的な電源を使用しなくても前記エラー検出部９３０及び前記信号出力部９４０を駆動することができる。
【０１４１】
以上、太陽電池モジュールについて説明したが、太陽電池モジュールは、広くは太陽光発電装置に該当する。従って、上述した実施例は、多様な太陽光発電装置に適用され得る。
【０１４２】
また、上記の実施例で説明された特徴、構造、効果などは、本発明の少なくとも一つの実施例に含まれており、必ずしも一つの実施例のみに限られるものではない。更に、各実施例に例示された特徴、構造、効果などは、実施例の属する分野の通常の知識を有する者によって他の実施例に対しても組み合わせ又は変形されて実施することができる。従って、このような組み合わせと変形に関する内容は、本発明の範囲に含まれるものとして解釈されるべきである。
【０１４３】
以上で実施例を中心に説明したが、これはただの例示であって本発明を限るものではなく、本発明の属する分野における通常の知識を有する者であれば、本実施例の本質的な特性を逸脱しない範囲内で以上に例示されていない多様な変形と応用が可能であるということを分かるはずである。例えば、実施例に具体的に示した各構成要素は変形して実施されてもよいものである。そして、このような変形と応用に関する差は、添付した特許請求の範囲で規定する本発明の範囲に含まれるものとして解釈されるべきである。
【産業上の利用可能性】
【０１４４】
実施例による太陽光発電装置は、太陽光発電分野に利用される。
【図１】
2013506988.tif 000003
【図２】
2013506988.tif 000004
【図３】
2013506988.tif 000005
【図４】
2013506988.tif 000006
【図５】
2013506988.tif 000007
【図６】
2013506988.tif 000008
【図７】
2013506988.tif 000009
【図８】
2013506988.tif 000010
【図９】
2013506988.tif 000011
【図１０】
2013506988.tif 000012
【図１１】
2013506988.tif 000013
【図１２】
2013506988.tif 000014
【図１３】
2013506988.tif 000015
【図１４】
2013506988.tif 000016
【図１５】
2013506988.tif 000017
【図１６】
2013506988.tif 000018
【図１７】
2013506988.tif 000019
【図１８】
2013506988.tif 000020
【図１９】
2013506988.tif 000021
【図２０】
2013506988.tif 000022
【図２１】
2013506988.tif 000023
【図２２】
2013506988.tif 000024
【図２３】
2013506988.tif 000025
【図２４】
2013506988.tif 000026
【図２５】
2013506988.tif 000027
【国際調査報告】
2013506988.tif 000028
2013506988.tif 000029
2013506988.tif 000030
2013506988.tif 000031